(57)【要約】  【課題】直立状態で体に負担をかけず野菜・食品の出し入れができ、上部冷気吐出口も温度補償ヒーターも必要とせず安価に構成でき、省エネを実現できる冷蔵庫を提供する。  【解決手段】全高が９５ｃｍから１６０ｃｍの冷蔵庫８において、上段に備えた冷蔵室９と、下段に備えた冷凍室２と、冷蔵室９内最上部に野菜ケース１０を配置するものであり、野菜ケース１０が冷蔵室９内最上部に配置してあるため直立状態で体に負担をかけず野菜・食品の出し入れができる。【選択図】図３
2007178076.tif 000002
【特許請求の範囲】
【請求項１】
上段に設けた冷蔵室と、下段に設けた冷凍室と、前記冷蔵室内の野菜ケースで構成され、前記野菜ケースが前記冷蔵室の最上部に設置し、高さが９５ｃｍから１６０ｃｍとした冷蔵庫。
【請求項２】
野菜ケース底面の高さが６６ｃｍから１４３ｃｍであることを特徴とする請求項１に記載の冷蔵庫。
【請求項３】
野菜ケースの深さが２０ｃｍ以下であることを特徴とする請求項１または２に記載の冷蔵庫。
【請求項４】
野菜ケースの奥行きが１０ｃｍから５０ｃｍであることを特徴とする請求項１から３のいずれか一項に記載の冷蔵庫。
【請求項５】
野菜ケースの引き出し代が０ｃｍから３０ｃｍであることを特徴とする請求項１から４のいずれか一項に記載の冷蔵庫。
【発明の詳細な説明】
【技術分野】
【０００１】
本発明は人間工学に基づき食品の出し入れに負担の少なく効率良く冷やすことのできる冷蔵庫のレイアウトに関するものである。
【背景技術】
【０００２】
一般的に冷蔵庫は、上段に冷蔵室を下段に冷凍室を配置し、冷蔵室内の最下部に野菜ケースを設置して食品の保管をしており、冷蔵室の上段を冷却し温度を維持するためファンによる冷気の分配をさせると共に最下段の野菜過冷を防止するためヒーターを通電させて暖めながら冷却して庫内温度ばらつきという欠点を補っていた（例えば、特許文献１参照）。
【０００３】
図５（ａ）（ｂ）は特許文献１に記載された従来の冷蔵庫の斜視図と断面図を示すものである。図５に示すように、上段に冷蔵室３を下段に冷凍室２を配置した冷蔵庫１において、冷蔵室３内の最下部に野菜ケース４を設置してある。
【０００４】
冷蔵室３の背面には冷気吐出口６と冷気吸込み口７が配置され、冷気は庫内を循環して庫内温度を均一に維持している。冷蔵室の底面には温度補償ヒーター５が設置されており、野菜ケース４の過冷防止のため通電している。
【特許文献１】特開平５−１２６４５０号公報
【発明の開示】
【発明が解決しようとする課題】
【０００５】
しかしながら、全高の低い中小型冷蔵庫において上記のような構成では、主に使用するであろう平均身長１５９ｃｍの日本人女性にとって、野菜・食品の出し入れのために屈む姿勢をとらなければならず体に負担が生じてしまう。また、冷蔵室内において上部の温度は高く下部の温度は低くなる冷気自然対流に反して上部を冷却し下部をヒーターで暖めるという非効率的な仕様にしなければならず消費電力量も高くなるという課題を有していた。
【０００６】
本発明は上記課題を解決するもので、直立状態で体に負担をかけず野菜・食品の出し入れができる。また、上部冷気吐出口も温度補償ヒーターも必要とせず安価に構成できる。また、省エネな冷蔵庫を提供することを目的とする。
【課題を解決するための手段】
【０００７】
上記従来の課題を解決するために、本発明の冷蔵庫は全高が９５ｃｍから１６０ｃｍで、上段に備えた冷蔵室と、下段に備えた冷凍室と、冷蔵室内最上部に野菜ケースを配置しているものである。
【０００８】
これによって、直立状態で体に負担をかけず野菜・食品の出し入れができる。また、上部冷気吐出口も温度補償ヒーターも必要とせず安価に構成できる。また、省エネを実現できることになる。
【発明の効果】
【０００９】
本発明の冷蔵庫は、直立状態で体に負担をかけず野菜・食品の出し入れができる。また、上部冷気吐出口も温度補償ヒーターも必要とせず安価に構成できる。また、省エネを実現できる。
【発明を実施するための最良の形態】
【００１０】
請求項１に記載の発明は、上段に設けた冷蔵室と、下段に設けた冷凍室と、前記冷蔵室内の野菜ケースで構成され、前記野菜ケースが前記冷蔵室の最上部に設置し、高さが９５ｃｍから１６０ｃｍとしたものであり、直立状態で体に負担をかけず野菜・食品の出し入れができる。また、上部冷気吐出口も温度補償ヒーターも必要とせず安価に構成できる。また、省エネを実現できる。
【００１１】
請求項２に記載の発明は、請求項１に記載の発明において、野菜ケース底面の高さを６６ｃｍから１４３ｃｍにすることにより、直立状態で体に負担をかけず野菜・食品の出し入れができる。また、上部冷気吐出口も温度補償ヒーターも必要とせず安価に構成できる。また、省エネを実現できる。
【００１２】
請求項３に記載の発明は、請求項１または２に記載の発明において、野菜ケースの深さを２０ｃｍ以下にすることにより、直立状態で体に負担をかけず野菜・食品の出し入れができる。また、上部冷気吐出口も温度補償ヒーターも必要とせず安価に構成できる。また、省エネを実現できる。
【００１３】
請求項４に記載の発明は、請求項１から３のいずれか一項に記載の発明において、野菜ケースの奥行きを１０ｃｍから５０ｃｍにすることにより、直立状態で体に負担をかけず野菜・食品の出し入れができる。また、上部冷気吐出口も温度補償ヒーターも必要とせず安価に構成できる。また、省エネを実現できる。
【００１４】
請求項５に記載の発明は、請求項１から４のいずれか一項に記載の発明において、野菜ケースの引き出し代を０ｃｍから３０ｃｍにすることにより、直立状態で体に負担をかけず野菜・食品の出し入れができる。また、上部冷気吐出口も温度補償ヒーターも必要とせず安価に構成できる。また、省エネを実現できる。
【００１５】
以下、本発明の実施の形態について、図面を参照しながら説明する。なお、この実施の形態によってこの発明が限定されるものではない。
【００１６】
（実施の形態１）
図１，図２，図３，図４は、本発明の実施の形態１における冷蔵庫を示すものであり、図１，図２は本発明の実施の形態１における冷蔵庫の斜視図、図３，図４は本発明の実施の形態１における人間工学的に配慮した冷蔵庫の野菜ケースの配置説明図である。
【００１７】
図１，図２において、冷蔵庫８は、高さＨ５が９５ｃｍから１６０ｃｍに設定され、下段に冷凍室２を上段に冷蔵室９によって構成されている。冷蔵室９内の最上部には、野菜ケース１０を配置して、野菜ケース１０の底面高さＨ７を６６ｃｍから１４３ｃｍに、また野菜ケース１０の深さＤ１を２０ｃｍ以下に、また野菜ケースの奥行きＷ１を１０ｃｍから５０ｃｍに、また野菜ケース１０の引出し代Ｓ１を０ｃｍから３０ｃｍに設定してある。
【００１８】
図３は冷蔵庫高さＨ５が１６０ｃｍの時の冷蔵庫８の設置状態図で、冷蔵室９内の最上部に設置した野菜ケース１０の下部背面には冷気吐出口１１を、冷蔵室９内の背面下部には冷気吸込み口１２を配置されている。
【００１９】
図４は冷蔵庫高さＨ９が９５ｃｍの時の冷蔵庫１３の設置状態図で、冷蔵室１５内の最上部に設置した野菜ケース１６の下部背面には冷気吐出口１７を、冷蔵室１５内の背面下部には冷気吸込み口１８を配置されている。
【００２０】
以上のように構成された冷蔵庫について、以下その動作、作用を説明する。
【００２１】
まず、図３，図４を用いて野菜ケースの冷蔵室内最上部への配置に伴う使い勝手を説明する。
【００２２】
冷蔵庫の使い勝手を考える場合、使う人間の体系を考慮する必要がある。つまり、頻繁に使用される冷蔵庫の食品の出し入れは、それを使う人間の体形に合ったものでなくてはならない。本発明の実施の形態１に係る冷蔵庫は前記観点に立ったものである。
【００２３】
例えば、日本人の標準的な女性（身長Ｈ１：１５９ｃｍ）が全高Ｈ５が１６０ｃｍである冷蔵庫８から４０ｃｍ離れて冷蔵庫８を使う場合、直立姿勢で楽に届く高さは下方Ｈ１１が６６ｃｍ、上方Ｈ６が１３７ｃｍである。また、標準的な女性の肩の高さＨ３は１３０ｃｍ、肘の高さＨ８は１００ｃｍであり、肩の高さＨ３よりも肘の高さＨ４が下方に位置すれば食品を楽な姿勢で体に負担をかけず出し入れすることができる。これらの点から冷蔵庫８の作業性をみると、直立姿勢で肩の高さＨ３である１３０ｃｍを超えない高さまで肘を上げたところに配置した野菜ケース１０の食品出し入れ高さＨ６は、標準的な女性の目の高さＨ２である１４８ｃｍと一致して作業動作が良好であり、野菜ケース１０の底面高さＨ７が１４３ｃｍ以下で、野菜ケース１０の深さＤ１が５ｃｍ以下であれば、直立姿勢で食品の出し入れを体に負担をかけず楽に行うことができる。一方、全高Ｈ９が９５ｃｍである冷蔵庫１３から４０ｃｍ離れて冷蔵庫１３を使う場合、直立姿勢で標準的な女性の肘の高さＨ８である１００ｃｍよりも下方に配置した野菜ケース１６の食品出し入れ高さＨ１０は作業動作が良好であり、野菜ケース１６内を見渡しながら食品を出し入れでき作業性に優れている。特に直立姿勢での作業性を考慮した場合、人間の手の届く高さは６６ｃｍであることから、野菜ケース１６の底面高さＨ１１が６６ｃｍ以上で、野菜ケース１６の深さＤ１が２０ｃｍ以下であれば、直立姿勢で食品の出し入れを体に負担をかけずに行うことができる。更に野菜ケース１６の奥行きＷ１が１０ｃｍから５０ｃｍで、野菜ケース１６の引出し代Ｓ１が０ｃｍから３０ｃｍに設定すれば、直立姿勢で食品を見渡せる範囲が増加するため、食品の出し入れを更に楽に行うことができる。前記した寸法関係は、あくまで標準的な女性をモデルにした数値であり、その数値範囲は、例えば、履かれるスリッパの高さを考慮したり、使用者のカバー率、収納容量等のその他の諸条件を考慮する必要がある。
【００２４】
冷蔵室９内の最上部に野菜ケース１０が設置されており、野菜の最適保鮮温度が７℃前後の中温であるため冷却用の風路を必要とせず、冷蔵室９内の冷却用の冷気吐出口を野菜ケース１０の下部背面に設けるだけで冷蔵室９の温度調節が可能となり、冷却風路構造体の小型化が図れ省コストになると共に風路長さが短く簡素化されるため冷気循環損失が削減されて効率的冷却で省エネとなる。また、冷蔵室９内の背面下部に配置した冷気吸込み口１２前方の保存食品が３℃前後の低温でも障害がなくなるため、冷蔵室９内底面に設置していた低温補償ヒーターが不要となり省エネ省コストになると共に冷蔵室９内の温度分布を冷気自然対流に従い下段にいくほど低温になるように配分することで効率的冷却で運転率も低下でき省エネになる。
【産業上の利用可能性】
【００２５】
以上のように、本発明にかかる全高が９５ｃｍから１６０ｃｍの冷蔵庫は、直立状態で体に負担をかけず野菜・食品の出し入れができ、上部冷気吐出口も温度補償ヒーターも必要とせず安価に構成でき、省エネを実現できるので、冷蔵機器全般の庫内レイアウトとしても適用できる。
【図面の簡単な説明】
【００２６】
【図１】本発明の実施の形態１における冷蔵庫の斜視図
【図２】本発明の実施の形態１における冷蔵庫の斜視図
【図３】本発明の実施の形態１における冷蔵庫の野菜ケースの配置説明図
【図４】本発明の実施の形態１における冷蔵庫の野菜ケースの配置説明図
【図５】（ａ）従来の冷蔵庫の斜視図（ｂ）従来の冷蔵庫の縦断面図
【符号の説明】
【００２７】
２    下段冷凍室
８，１３  冷蔵庫
９，１５  上段冷蔵室
１０，１６  野菜ケース
Ｄ１  野菜ケースの深さ
Ｈ５，Ｈ９  冷蔵庫高さ
Ｈ６，Ｈ１０  野菜・食品の出し入れ高さ
Ｈ７，Ｈ１１  野菜ケースの底面高さ
Ｓ１  野菜ケースの引出し代
Ｗ１  野菜ケースの奥行き
【図１】
2007178076.tif 000003
【図２】
2007178076.tif 000004
【図３】
2007178076.tif 000005
【図４】
2007178076.tif 000006
【図５】
2007178076.tif 000007